(57)【要約】【課題】緊急時であっても使用の制限を実施せずに放射線撮影を実行できる放射線撮影システムを提供する。【解決手段】放射線撮影システムを利用するためのライセンスを管理する管理装置は、ライセンスが無効であるか否かを判定し、ライセンスが無効であると判定した場合に、放射線撮影システムの機能を制限し、特定の入力情報に応じて、放射線撮影の実行を可能とするために制限された機能の少なくとも一部の機能の制限を解除する。【選択図】  図３
2015188535.tif 000002
【特許請求の範囲】
【請求項１】
放射線撮影システムを利用するためのライセンスを管理する管理装置であって、
前記ライセンスが無効であるか否かを判定する判定手段と、
前記判定手段が前記ライセンスが無効であると判定した場合に、前記放射線撮影システムの機能を制限する制限手段と、
特定の入力情報に応じて、放射線撮影の実行を可能とするために前記制限された機能の少なくとも一部の機能の制限を解除する解除手段と、
を有することを特徴とする管理装置。
【請求項２】
表示部を介した入力操作を受け付ける表示制御手段をさらに有することを特徴とする請求項１に記載の管理装置。
【請求項３】
前記判定手段は、前記表示制御手段によって受け付けられた入力操作に基づいて、前記ライセンスが無効であるか否かを判定することを特徴とする請求項２に記載の管理装置。
【請求項４】
前記特定の入力情報は前記表示制御手段によって受け付けられた入力操作による情報であることを特徴とする請求項２または３に記載の管理装置。
【請求項５】
前記特定の入力情報はネットワークを介した入力情報であることを特徴とする請求項２または３に記載の管理装置。
【請求項６】
前記解除手段が前記少なくとも一部の機能の制限を解除した場合、該少なくとも一部の機能が前記放射線撮影システムにより実行されたことを示す情報を出力する出力手段をさらに有することを特徴とする請求項１乃至５のいずれか１項に記載の管理装置。
【請求項７】
前記出力手段は前記実行されたことを示す情報を記憶部に記憶させることを特徴とする請求項６に記載の管理装置。
【請求項８】
前記解除手段は、前記少なくとも一部の機能としての患者を区別するための患者情報入力機能の制限を解除することを特徴とする請求項１乃至７のいずれか１項に記載の管理装置。
【請求項９】
前記特定の入力情報がネットワークを介した入力情報である場合に、前記制限された機能の全てを解除することを特徴とする請求項１乃至８のいずれか１項に記載の管理装置。
【請求項１０】
前記ネットワークを介した入力情報は緊急地震速報であることを特徴とする請求項９に記載の管理装置。
【請求項１１】
放射線撮影システムを利用するためのライセンスを管理する管理方法であって、
前記ライセンスが無効であるか否かを判定する判定工程と、
前記判定工程において前記ライセンスが無効であると判定された場合に、前記放射線撮影システムの機能を制限する制限工程と、
特定の入力情報に応じて放射線撮影の実行を可能とするために、前記制限された機能の少なくとも一部の機能の制限を解除する解除工程と、
を有することを特徴とする管理方法。
【請求項１２】
請求項１乃至請求項１０のいずれか１項に記載の管理装置としてコンピュータを機能させることを特徴とするプログラム。
【請求項１３】
放射線撮影システムであって、
前記放射線撮影システムを利用するためのライセンスが無効であるか否かを判定する判定手段と、
前記判定手段が前記ライセンスが無効であると判定した場合に、前記放射線撮影システムの機能を制限する制限手段と、
特定の入力情報に応じて放射線撮影の実行を可能とするために、前記制限された機能の少なくとも一部の機能の制限を解除する解除手段と、
を有することを特徴とする放射線撮影システム。
【請求項１４】
放射線撮影システムの制御方法であって、
前記放射線撮影システムを利用するためのライセンスが無効であるか否かを判定する判定工程と、
前記判定工程において前記ライセンスが無効であると判定された場合に、前記放射線撮影システムの機能を制限する制限工程と、
特定の入力情報に応じて放射線撮影の実行を可能とするために、前記制限された機能の少なくとも一部の機能の制限を解除する解除工程と、
を有することを特徴とする放射線撮影システムの制御方法。
【請求項１５】
放射線撮影システムを利用するためのライセンスを管理する管理システムであって、
前記ライセンスが無効であるか否かを判定する判定手段と、
前記判定手段が前記ライセンスが無効であると判定した場合に、前記放射線撮影システムの機能を制限する制限手段と、
特定の入力情報に応じて、放射線撮影の実行を可能とするために前記制限された機能の少なくとも一部の機能の制限を解除する解除手段と、
を有することを特徴とする管理システム。
【発明の詳細な説明】
【技術分野】
【０００１】
この発明は、管理装置、管理方法、放射線撮影システム、その制御方法、管理システム、及びプログラムに関する。
【背景技術】
【０００２】
放射線撮影システムでは、患者情報の個人情報保護の立場からアクセス制限を設けることで個人情報の漏えいを防いでいる。例えば、特許文献１には、操作者を特定して復帰する機能を実現することで個人情報の漏えいを防止するアクセス制限を提供する放射線撮影システムが開示されている。また、放射線撮影システムの不正使用を防止するために、ライセンス権を発行して管理する事で、ライセンスの有効期限が失効した場合に放射線撮影システムの不正使用を防止する方法が一般的に知られている。
【先行技術文献】
【特許文献】
【０００３】
【特許文献１】特開２００６−３２６１８７号公報
【発明の概要】
【発明が解決しようとする課題】
【０００４】
しかしながら、従来の方法では、災害現場や救急医療の現場などの緊急を要する状況で、放射線撮影システムの利用のためのライセンスの有効期限が切れている場合に放射線撮影が適切に行えないという問題がある。
【０００５】
本発明は、上記課題に鑑みてなされたものであり、緊急時であっても使用の制限を実施せずに放射線撮影を実行できる放射線撮影システムを提供することを目的とする。
【課題を解決するための手段】
【０００６】
上記目的を達成するための一手段として、本発明の管理装置は以下の構成を備える。すなわち、放射線撮影システムを利用するためのライセンスを管理する管理装置であって、前記ライセンスが無効であるか否かを判定する判定手段と、前記判定手段が前記ライセンスが無効であると判定した場合に、前記放射線撮影システムの機能を制限する制限手段と、特定の入力情報に応じて、放射線撮影の実行を可能とするために前記制限された機能の少なくとも一部の機能の制限を解除する解除手段とを有する。
【発明の効果】
【０００７】
これにより、災害現場等の緊急を要する状況下でライセンス無効による機能制限を少なくとも一部解除することにより、放射線撮影を実行することができる。
【図面の簡単な説明】
【０００８】
【図１】放射線撮影システム全体の概略ブロック図。
【図２】第１、及び第２実施形態による制御部の概略ブロック図。
【図３】第１実施形態による放射線撮影システムの処理を説明するフローチャート。
【図４】第２実施形態による放射線撮影システムの処理を説明するフローチャート。
【発明を実施するための形態】
【０００９】
［第１実施形態］
以下に、本発明の実施形態について添付の図面を参照して具体的に説明する。なお、以下に示す実施形態では、放射線としてＸ線を適用した場合を例に挙げて説明するが、本明細書において放射線はＸ線に限られるものではなく、α線、β線、γ線、粒子線、宇宙線なども、放射線に含まれるものとする。
【００１０】
まず、図１を用いて放射線撮影システムの例を説明する。図１は、本実施形態による放射線撮影システム全体の概略ブロック図である。放射線撮影システムは、放射線撮像装置１０９と、撮影制御装置１００と、放射線制御装置１０７と、放射線源１０８と、を含む。放射線撮像装置１０９は、放射線源１０８から曝射されて被検体Ｈの所定の部位を透過した放射線に基づいて放射線画像を取得するためのものである。放射線撮像装置１０９としては、周知のフラットパネル型のＸ線検出器（Ｆｌａｔ Ｐａｎｅｌ Ｄｅｔｅｃｔｏｒ：ＦＰＤ）等が存在する。放射線制御装置１０７は、放射線源１０８による放射線の曝射の制御を行うものである。撮影制御装置１００は、後述する操作部１０４の特定の入力指示に基づいて、放射線撮像装置１０９、及び、放射線制御装置１０７の制御を行うものである。
【００１１】
また、放射線撮影システムは、操作部１０４、表示部１０５及びネットワーク１０６を含み得る。操作部１０４は、操作者（撮影技師や医師）からの入力に応じて放射線撮影システムにおける処理の操作を行うための操作情報を撮影制御装置１００へ供給し得る。表示部１０５は、放射線撮像装置１０９によって取得された放射線画像等の画像を操作者へ表示し得る出力手段であり、例えば液晶ディスプレイ等で実現される。また、表示部１０５は、放射線撮影システムのシーケンスの各タイミングを示す各種の図形を操作者へ向けて表示する。すなわち、表示部１０５は、放射線撮影のコントロールソフトウェアのグラフィカルユーザインタフェース（ＧＵＩ）を表示し得る。ここで、操作部１０４は、表示部１０５に表示された各種図形を、マウスやキーボード等の入力機器の操作によって画像操作を行うことにより、操作情報を撮影制御装置１００へ提供し得る。なお、操作部１０４及び表示部１０５は、それらが一体となったタッチパネル等で実現されてもよい。また、ネットワーク１０６は、外部システムとの接続を実施する手段であり、例えばインターネットや病院内でのローカルネットワーク等で実現される。
【００１２】
撮影制御装置１００は、入出力部１０２と、画像処理部１０３と、制御部１０１と、を含み得る。入出力部１０２は、放射線撮像装置１０９からの放射線画像の入力や、放射線制御装置１０７への制御信号の出力や、ネットワーク１０６からの情報の入出力を担うものである。画像処理部１０３は、放射線撮像装置１０９からの放射線画像に対して、オフセット補正やゲイン補正や欠陥補正といった各種の補正処理や、階調変換やダイナミックレンジ圧縮処理といった各種画像処理を行うものである。制御部１０１は、操作部１０４からの操作情報に基づいて、各種制御のための制御信号を、入出力部１０２を介して、放射線撮像装置１０９、及び、放射線制御装置１０７へ出力し得るものである。
【００１３】
次に図２を用いて制御部１０１を説明する。図２は、制御部１０１の機能ブロックを説明するための概略ブロック図である。制御部１０１は、入力検出部２０６と、記憶部２０３と、演算部２０７と、表示制御部２０２と、撮影制御部２０１と、緊急事態判定部２０８と、含み得る。入力検出部２０６は、操作部１０４から入力された操作情報を演算部２０７に供給する。記憶部２０３は、画像処理部１０３で画像処理された放射線画像を記憶し得る撮影画像記憶領域２０４を含む。また、記憶部２０３は、放射線撮影システムで利用可能な機能の有効/無効をライセンス管理するための、ライセンスのＩＤと、パスワードを含むライセンス情報２０５を含む。
【００１４】
演算部２０７は、表示部１０５でライセンスのＩＤと、パスワードを入力させるＧＵＩを表示部１０５に表示させるように、表示制御部２０２に指示し得る。また、演算部２０７は、操作部１０４で入力されたライセンスのＩＤと、パスワードを入力検出部２０６を介して取得し、ライセンス情報２０５に記憶されたライセンスのＩＤと、パスワードと比較する演算を行う。そして、その演算結果に基づいて撮影制御部２０１で撮影機能を動作制御を行う。また、演算部２０７は入力検出部２０６で取得したライセンスのＩＤと、パスワードとライセンス情報２０５に記憶されたライセンスのＩＤとパスワードと比較する。その際に、緊急事態判定部２０８にて、入力検出部２０６で取得したライセンスのＩＤと、パスワードが緊急事態用のＩＤとパスワードかどうかを判定する。
【００１５】
また、これ以外に緊急事態と判断する方法としては、表示部１０５に緊急用のコントロールを表示して、操作部１０４から入力検出部２０６で操作された事を検出した際に緊急事態と判断する方法等があるが、方法はこれに限らない。また、外部からの緊急事態が通知される方法としては、演算部２０７は、ネットワーク１０６を介して得られた入力情報を、入出力部１０２を通じて取得し、その情報から緊急事態判定部２０８にて緊急事態であるかを判定する。ネットワーク１０６を介して得られる緊急情報とは、緊急地震速報や災害連絡があるが、方法はこれに限らない。
【００１６】
以上のように構成された放射線撮影システムでは、平常時にライセンス情報２０５で管理されているライセンスのＩＤと、パスワードの有効期限が切れている場合は撮影が実施出来ない。そのような、使用機能が制限されている状況でも、緊急事態判定部２０８にて緊急事態であると判定された場合は、演算部２０７は撮影制御部２０１に対し使用機能の制限を実施しないように指示し、放射線撮影システムに撮影を実施させることが可能である。
【００１７】
アクセス制限やライセンス制限を実施している放射線撮影システムにおいて、災害現場等の緊急時には、緊急撮影機能として必要最低限の撮影機能を提供する事で人命救助を優先する。本実施形態による放射線撮影システムはそ、以下の図３によって説明されるシーケンス制御を提供する。
【００１８】
図３は、放射線撮影システムが緊急用のＩＤとパスワードにより動作するためのフローを説明するためのフローチャートである。まず、表示部１０５にＩＤとパスワードの入力を操作者に指示する画面が表示された状態でシーケンスが開始されると（Ｓ３０１）、操作者は操作部１０４による画面操作によってＩＤとパスワードを入力操作する（Ｓ３０２）。制御部１０１は、入力されたＩＤとパスワードを緊急事態判定部２０８にて緊急用のＩＤとパスワードかを判断する（Ｓ３０３）。入力されたＩＤとパスワードが緊急用のＩＤとパスワードの場合は（Ｓ３０３のＹＥＳ）、直ぐに放射線撮影システムを動作させる（Ｓ３０５）。入力されたＩＤとパスワードが緊急用のＩＤとパスワードでない場合は（Ｓ３０３のＮＯ）、制御部１０１は、入力されたＩＤのライセンスが有効期限内かどうかを判断する（Ｓ３０４）。入力されたＩＤのライセンスが有効期限外の場合は（Ｓ３０４のＮＯ）、制御部１０１は、再度、表示部１０５にてＩＤとパスワードを入力される画面を表示する。入力されたＩＤのライセンスが有効期限内の場合は（Ｓ３０４のＹＥＳ）、制御部１０１は、少なくとも一部の機能が有効にされた放射線撮影システムを動作させる（Ｓ３０５）。
【００１９】
なお、図３においてＳ３０３の判断の前にＳ３０４の判断を行うようにしても良い。この場合、先に、制御部１０１は、入力されたＩＤのライセンスが有効期限内かどうかを判断する。入力されたＩＤのライセンスが有効期限外の場合は、制御部１０１は、放射線撮影システムの機能を一旦無効にする。しかし、入力されたＩＤとパスワードが緊急用のＩＤとパスワードの場合は、制御部１０１は、無効にされた機能のうち少なくとも一部の機能の無効を解除にされた放射線撮影システムを動作させる。また、入力されたＩＤとパスワードが緊急用のＩＤとパスワードでない場合は、制御部１０１は、再度、表示部１０５にてＩＤとパスワードを入力される画面を表示する。一方、入力されたＩＤのライセンスが有効期限内の場合は、制御部１０１は放射線撮影システムを動作させる。
【００２０】
このように、本実施形態では、入力されたＩＤがライセンスの有効期限外のものであっても、入力されたＩＤとパスワードが緊急用のものである場合に、放射線撮影システムは少なくとも一部の機能が有効になり、動作する。これにより、緊急時であっても、操作者は放射線撮影が可能となる。
【００２１】
［第２実施形態］
第２実施形態の放射線撮影システム全体の概略ブロック図は第１実施形態と同様に図１に表される。第２実施形態では、操作部１０４からの入力により緊急事態と判断された場合（緊急動作状態１）と、ネットワーク１０６を介して得られた情報により緊急事態と判断された場合（緊急動作状態２）とで異なる緊急レベルが設定される。そして、放射線撮影システムは設定された緊急レベルに応じた動作を実行する。
【００２２】
具体的な例としては、操作部１０４から入力に基づいた緊急動作状態１の場合は、医師が現場で緊急事態であることを判断したことを意味するため、緊急撮影に必要となる最低限の機能のみ有効とするようにする。緊急撮影で必要となる機能として、緊急事態後に撮影患者の区別をするための患者情報入力機能等がある。ただし、必要となる機能はこれとは限らない。また、緊急撮影に不必要で制限される機能として、ＰＡＣＳへの転送等がある。すなわち、ＰＡＣＳ（Ｐｉｃｔｕｒｅ  Ａｒｃｈｉｉｎｇ  ａｎｄ  Ｃｏｍｍｕｎｉｃａｔｉｏｎ  Ｓｙｓｔｅｍ）への転送に代えて、プリンターへの出力機能が提供される。ただし、制限する機能はこれとは限らない。一方、ネットワーク１０６を介して得られた情報に基づいた緊急動作状態２の場合は、現場がどのような状況にあるか不明瞭であることを意味するため、緊急撮影に必要となる最低限の機能だけではなく全ての機能を有効とするようにする。
【００２３】
図４は、第２実施形態の動作フローを説明するためのフローチャートである。まず、表示部１０５にＩＤとパスワードを入力を指示する画面が表示された状態でシーケンスが開始されると（Ｓ４０１）、操作者は操作部１０４による画面操作によってＩＤとパスワードを入力する（Ｓ４０２）。制御部１０１は、入力されたＩＤとパスワードを緊急事態判定部２０８にて緊急用のＩＤとパスワードかを判断する（Ｓ４０３）。入力されたＩＤとパスワードが緊急用のＩＤとパスワードの場合は直ぐに緊急動作状態１で放射線撮影システムを動作させる（Ｓ４０５）。入力されたＩＤとパスワードが緊急用のＩＤとパスワードでない場合は、制御部１０１は、入力されたＩＤのライセンスが有効期限内かどうかを判断する（Ｓ４０４）。入力されたＩＤのライセンスが有効期限外の場合は、制御部１０１は、再度、表示部１０５にてＩＤとパスワードを入力される画面を表示する。入力されたＩＤのライセンスが有効期限内の場合は、制御部１０１は、正常動作状態で放射線撮影システムを動作させる（Ｓ４０６）。そして、緊急動作状態１または、正常動作状態で動作中にネットワーク１０６から緊急情報を受信すると（Ｓ４０７のＹＥＳ）、緊急レベルを変更して緊急動作状態２で放射線撮影システムを動作させる。
【００２４】
なお、第１実施形態と同様に、図４において、Ｓ４０３の判断の前にＳ４０４の判断を行うようにしても良い。この場合、先に、制御部１０１は、入力されたＩＤのライセンスが有効期限かどうかを判断する。入力されたＩＤのライセンスが有効期限外の場合は、制御部１０１は、放射線撮影システムの機能を一旦無効にする。しかし、入力されたＩＤとパスワードが緊急用のＩＤとパスワードの場合は、制御部１０１は、緊急動作状態１として、無効にされた機能のうち少なくとも一部の機能の無効を解除にされた放射線撮影システムを動作させる。また、入力されたＩＤとパスワードが緊急用のＩＤとパスワードでない場合は、制御部１０１は、再度、表示部１０５にてＩＤとパスワードを入力される画面を表示する。一方、入力されたＩＤのライセンスが有効期限内の場合は、制御部１０１は、正常動作状態として、放射線撮影システムを動作させる。
【００２５】
このように、本実施形態では、入力情報によって緊急レベルが判断され、判断された緊急レベルに基づいた放射線撮影システムを動作させる。これにより、特に緊急レベルが高い場合には、放射線撮影システムの全ての機能が有効となり、操作者はライセンスの有無を気にすることなく操作することが可能となる。
【００２６】
［第３実施形態］
第３実施形態として、ネットワークを通じて接続されるサーバとクライアントから構成される管理システムにおいて、上述の実施形態を実現する形態を説明する。サーバはクライアントから送信されたＩＤのライセンスが有効期限内かどうかを判断し、このＩＤのライセンスが有効期限外の場合、放射線撮影システムの機能を一旦無効にすると判断する。この場合、サーバは機能制限コマンドをクライアントに送信し、これを受信したクライアントは、放射線撮影システムの機能を一旦無効にする。クライアントは、ＩＤとパスワードが緊急用のＩＤとパスワードの場合は、無効にした機能のうち少なくとも一部の機能の制限を解除する。なお、サーバは、サーバはクライアントから送信されたＩＤのライセンスが有効期限内と判断した場合は、機能実行許可コマンドをクライアントに送信する。
【００２７】
なお、クライアントは、サーバから受信された、放射線撮影システムの機能の実行が許可されることを示す情報が、所定のフォルダに格納されている場合にのみ、放射線撮影システムの機能の実行が許可されるようにしてもよい。また、サーバがクライアントに対して、強制的に機能の制限を実施できるようにしてもよい。
【００２８】
本実施形態において、サーバとクライアントは同一の建物（病院等）内に設置されることが可能である。クライアントが複数の場合は、各クライアントは各建物あるいは各撮影室にあり、サーバはこれら複数のクライアントについてのライセンスを統合的に管理することができる。また、サーバとクライアントが同一の建物内にある場合は、サーバとクライアントは、建物内のイントラネット等を介して通信することができる。サーバとクライアントが同一の建物内にない場合は、サーバとクライアントは、暗号化された公衆回線を通じて、あるいはＶＰＮ（Ｖｉｒｔｕａｌ  Ｐｒｉｖａｔｅ  Ｎｅｔｗｏｒｋ）を通じて通信することができる。
【００２９】
また、本実施形態として、一つのサーバが、クライアントから送信されたＩＤのライセンスが有効期限内かどうかの判断と、ＩＤのライセンスが有効期限外の場合、放射線撮影システムの機能を一旦無効にする判断を行う形態を説明したが、異なる装置がそれぞれの判断を行ってもよい。このとき、異なる装置は同一国内にあることを要しない。
【００３０】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３１】
１００…撮像制御装置、１０１…制御部、１０４…操作部、１０５…表示部、１０６…ネットワーク、１０７…放射線制御装置、１０８…放射線源、１０９…放射線撮像装置、２０１…撮影制御部、２０２…表示制御部、２０３…記憶部、２０４…撮影画像記憶領域、２０５…ライセンス情報、２０６…入力検出部、２０７…演算部、２０８…緊急事態判定部、H…被検体
【図１】
2015188535.tif 000003
【図２】
2015188535.tif 000004
【図３】
2015188535.tif 000005
【図４】
2015188535.tif 000006